【手続補正書】
【提出日】平成20年10月29日(2008.10.29)
【手続補正１】
【補正対象書類名】特許請求の範囲
【補正対象項目名】全文
【補正方法】変更
【補正の内容】
【特許請求の範囲】
【請求項１】
（ａ）エポキシ樹脂；及び
（ｂ）当該エポキシ樹脂組成物が硬化する際に、得られた硬化したエポキシ樹脂組成物の靭性が増加するような、少なくとも一つのエポキシ樹脂混和性ブロックセグメントと、少なくとも一つのエポキシ樹脂非混和性ブロックセグメントとを含む両親媒性ブロックコポリマー、ここで、前記非混和性ブロックセグメントは、当該非混和性ブロックセグメントのポリエーテル構造が少なくとも４個の炭素原子を有するアルキレンオキシドモノマー単位を少なくとも一つ又は二つ以上含む条件の下、ポリエーテル構造を少なくとも一つ含む：
を含む硬化性エポキシ樹脂組成物。
【請求項２】
前記両親媒性ブロックコポリマーが、少なくとも一つのエポキシ樹脂混和性ブロックセグメントと、少なくとも一つのエポキシ樹脂非混和性ブロックセグメントとを含む両親媒性ポリエーテルブロックコポリマーであり、前記混和性ブロックセグメントが、ポリエーテル構造を少なくとも一つ含む、請求項１に記載の組成物。
【請求項３】
前記両親媒性ポリエーテルブロックコポリマーが、ジブロック、直鎖トリブロック、直鎖テトラブロック、高次の複数ブロック構造、分岐鎖ブロック構造、又は星型ブロック構造から成る群から選択される、請求項２に記載の組成物。
【請求項４】
前記混和性ブロックセグメントが、ポリエチレンオキシドブロック、プロピレンオキシドブロック、又はポリ（エチレンオキシド−ｃｏ−プロピレンオキシド）ブロックを含み、そして前記非混和性ブロックセグメントが、ポリブチレンオキシドブロック、ポリヘキシレンオキシドブロック、ポリドデシレンオキシドブロック、又はポリヘキサデシレンオキシドブロックを含む、請求項１〜３のいずれか一項に記載の組成物。
【請求項５】
前記両親媒性ブロックコポリマーの前記混和性ブロックセグメントの少なくとも一つがポリ（エチレンオキシド）であり；そして前記両親媒性ブロックコポリマーの前記非混和性ブロックセグメントの少なくとも一つがポリ（ブチレンオキシド）である、請求項１〜４のいずれか一項に記載の組成物。
【請求項６】
前記両親媒性ブロックコポリマーが、ポリ（エチレンオキシド）−ｂ−ポリ（ブチレンオキシド）又はポリ（エチレンオキシド）−ｂ−ポリ（ブチレンオキシド）−ｂ−ポリ（エチレンオキシド）である、請求項１〜５のいずれか一項に記載の組成物。
【請求項７】
前記両親媒性ブロックコポリマーが、ポリ（エチレンオキシド）−ｂ−ポリ（ヘキシレンオキシド）である、請求項１〜６のいずれか一項に記載の組成物。
【請求項８】
前記両親媒性ブロックコポリマーが、２種又は３種以上のブロックコポリマーの混合物である、請求項１〜７のいずれか一項に記載の組成物。
【請求項９】
前記両親媒性ブロックコポリマーが、１０００〜３０，０００の分子量を有する、請求項１〜８のいずれか一項に記載の組成物。
【請求項１０】
前記両親媒性ブロックコポリマーの前記混和性ブロックセグメント：前記両親媒性ブロックコポリマーの前記非混和性ブロックセグメントの比率が、１０：１〜１：１０である、請求項１〜９のいずれか一項に記載の組成物。
【請求項１１】
前記両親媒性ブロックコポリマーが、当該組成物の重量に基づいて、０．１重量％〜５０重量％の量で存在する、請求項１〜１０のいずれか一項に記載の組成物。
【請求項１２】
前記エポキシ樹脂が、多価アルコールのポリグリシジルエーテル、多価フェノールのポリグリシジルエーテル、ポリグリシジルアミン、ポリグリシジルアミド、ポリグリシジルイミド、ポリグリシジルヒダントイン、ポリグリシジルチオエーテル、エポキシ化脂肪酸又は乾性油、エポキシ化ポリオレフィン、エポキシ化不飽和二酸エステル、エポキシ化不飽和ポリエステル、及びそれらの混合物から成る群から選択される、請求項１〜１１のいずれか一項に記載の組成物。
【請求項１３】
前記エポキシ樹脂が、多価アルコールのグリシジルポリエーテル、又は多価フェノールのグリシジルポリエーテルである、請求項１〜１２のいずれか一項に記載の組成物。
【請求項１４】
前記エポキシ樹脂が、３，４−エポキシシクロヘキシルメチル−３，４−エポキシシクロヘキシルカルボキシレート、１，２−エポキシ−４−ビニルシクロヘキサン、ビス（７−オキサビシクロ［４．１．０］ヘプタ−３−イルメチルヘキサン二酸エステル、３，４−エポキシシクロヘキサンカルボキシレートメチルエステル、及びそれらの混合物から成る群から選択される、請求項１〜１１のいずれか一項に記載の組成物。
【請求項１５】
ホモポリマーを含む、請求項１〜１４のいずれか一項に記載の組成物。
【請求項１６】
ホモポリマーのブロックコポリマーに対する重量比が、０．１〜３００である、請求項１〜１５のいずれか一項に記載の組成物。
【請求項１７】
前記エポキシ樹脂非混和性ブロックセグメントと同一組成のホモポリマーを含む、請求項１〜１６のいずれか一項に記載の組成物。
【請求項１８】
前記エポキシ樹脂混和性ブロックセグメントと同一組成のホモポリマーを含む、請求項１〜１７のいずれか一項に記載の組成物。
【請求項１９】
前記エポキシ樹脂非混和性ブロック中で混和性を有し、従って、熱硬化網目の中で前記非混和性ブロックのモルホロジーを変化させるポリマーを包含する、請求項１〜１８のいずれか一項に記載の組成物。
【請求項２０】
前記ブロックコポリマーのミセルのサイズを変化させることができるポリマーを含む、請求項１〜１９のいずれか一項に記載の組成物。
【請求項２１】
前記エポキシが１５０〜３０００のエポキシド当量を有する、請求項１〜２０のいずれか一項に記載の組成物。
【請求項２２】
硬化触媒を含む、請求項１〜２１のいずれか一項に記載の組成物。
【請求項２３】
硬化剤を含む、請求項１〜２１のいずれか一項に記載の組成物。
【請求項２４】
光開始剤化合物を含む、請求項１〜２１のいずれか一項に記載の組成物。
【請求項２５】
顔料を含む、請求項１〜２４のいずれか一項に記載の組成物。
【請求項２６】
（ａ）エポキシ樹脂；及び
（ｂ）当該エポキシ樹脂組成物が硬化する際に、得られた硬化したエポキシ樹脂組成物の靭性が増加するような、少なくとも一つのエポキシ樹脂混和性ブロックセグメントと、少なくとも一つのエポキシ樹脂非混和性ブロックセグメントとを含む両親媒性ブロックコポリマー、ここで、前記非混和性ブロックセグメントは、当該非混和性ブロックセグメントのポリエーテル構造が少なくとも４個の炭素原子を有するアルキレンオキシドモノマー単位を少なくとも一つ又は二つ以上含む条件の下、ポリエーテル構造を少なくとも一つ含む：
を混合することを含む硬化性エポキシ樹脂の調製法。
【請求項２７】
請求項１〜２５のいずれか一項に記載の組成物を含む複合材料。
【請求項２８】
請求項１〜２５のいずれか一項に記載の組成物を含む積層板。
【手続補正２】
【補正対象書類名】明細書
【補正対象項目名】００１２
【補正方法】変更
【補正の内容】
【００１２】
本発明は、
（ａ）エポキシ樹脂；及び
（ｂ）当該エポキシ樹脂組成物が硬化する際に、得られた硬化したエポキシ樹脂組成物の靭性が増加するような、少なくとも一つのエポキシ樹脂混和性ブロックセグメントと、少なくとも一つのエポキシ樹脂非混和性ブロックセグメントとを含む両親媒性ブロックコポリマーであって、前記非混和性ブロックセグメントが、当該非混和性ブロックセグメントのポリエーテル構造が少なくとも４個の炭素原子を有するアルキレンオキシドモノマー単位を少なくとも一つ又は二つ以上含む条件の下、ポリエーテル構造を少なくとも一つ含むもの：
を含む硬化性エポキシ樹脂組成物に向けられている。